【手続補正書】
【提出日】平成16年11月30日(2004.11.30)
【手続補正１】
【補正対象書類名】明細書
【補正対象項目名】発明の名称
【補正方法】変更
【補正の内容】
【発明の名称】デジタルカメラ
【手続補正２】
【補正対象書類名】明細書
【補正対象項目名】特許請求の範囲
【補正方法】変更
【補正の内容】
【特許請求の範囲】
【請求項１】
固体撮像素子に起因する欠陥画素を補正するデジタルカメラにおいて、
前記固体撮像素子の出力信号を格納する第１のメモリ手段と、
前記第１のメモリの信号を所定の形式に変換する信号処理手段と、
前記格納および変換する動作の制御を行うマイクロコンピュータに必要とする書き換え可能な第２のメモリ手段と、
前記第１のメモリに格納したデータを、前記第２のメモリに対して読み書きする手段とを備え、
前記マイクロコンピュータは、前記第１のメモリのデータを読み込んで欠陥画素を検出し、さらに算出した補正データを前記第１のメモリに置換することにより、前記固体撮像素子の欠陥画素を補正することを特徴とするデジタルカメラ。
【請求項２】
固体撮像素子、該固体撮像素子から出力される画素データを格納するフレームメモリ、前記固体撮像素子による撮像動作を制御するマイクロコンピュータおよび該マイクロコンピュータの作業領域を提供するワークメモリを備えたデジタルカメラにおいて、
前記マイクロコンピュータは、
前記固体撮像素子を所定の時間遮光した状態の遮光画素データを前記フレームメモリから読み出して、該遮光画素データのうち所定の閾値より大きい値の遮光画素データに対応するアドレスを白キズ画素アドレスとして前記ワークメモリに記憶させる白キズ検出手段、および、
前記ワークメモリに記憶された前記白キズ画素アドレスおよび該白キズ画素アドレスに対応する遮光画素データの周辺の遮光画素データに対応する周辺遮光画素アドレスのそれぞれに対応する所定の露出で撮影された通常画素データを、それぞれ前記フレームメモリから読み出し、前記周辺遮光画素アドレスに対応する通常画素データに基づいて前記白キズ画素アドレスに対応する通常画素データを補完して前記フレームメモリに書き直す欠陥画素補正手段として機能すること
を特徴とするデジタルカメラ。
【請求項３】
固体撮像素子、該固体撮像素子から出力される画素データを格納するフレームメモリ、前記固体撮像素子による撮像動作を制御するマイクロコンピュータおよび該マイクロコンピュータの作業領域を提供するワークメモリを備えたデジタルカメラにおいて、
前記マイクロコンピュータは、
前記固体撮像素子を所定の時間開放した状態の全面白画素データを前記フレームメモリから読み出して、該全面白画素データのうち所定の閾値より小さい値の全面白画素データに対応するアドレスを黒キズ画素アドレスとして前記ワークメモリに記憶させる黒キズ検出手段、および、
前記ワークメモリに記憶された前記黒キズ画素アドレスおよび該黒キズ画素アドレスに対応する全面白画素データの周辺の全面白画素データに対応する周辺白画素アドレスのそれぞれに対応する所定の露出で撮影された通常画素データを、それぞれ前記フレームメモリから読み出し、前記周辺白画素アドレスに対応する通常画素データに基づいて前記黒キズ画素アドレスに対応する通常画素データを補完して前記フレームメモリに書き直す欠陥画素補正手段として機能すること
を特徴とするデジタルカメラ。
【請求項４】
マイクロコンピュータが欠陥検出する動作を、工場出荷時あるいは電源投入時あるいは所定の使用条件のときに行うことを特徴とする請求項１に記載のデジタルカメラ。
【請求項５】
前記マイクロコンピュータは、さらに、前記固体撮像素子を所定の時間開放した状態の全面白画素データを前記フレームメモリから読み出して、該全面白画素データのうち所定の閾値より小さい値の全面白画素データに対応するアドレスを黒キズ画素アドレスとして前記ワークメモリに記憶させる黒キズ検出手段として機能し、
前記欠陥画素補正手段は、さらに、前記ワークメモリに記憶された前記黒キズ画素アドレスおよび該黒キズ画素アドレスに対応する全面白画素データの周辺の全面白画素データに対応する周辺白画素アドレスのそれぞれに対応する所定の露出で撮影された通常画素データを、それぞれ前記フレームメモリから読み出し、前記周辺白画素アドレスに対応する通常画素データに基づいて前記黒キズ画素アドレスに対応する通常画素データを補完して前記フレームメモリに書き直すこと
を特徴とする請求項２に記載のデジタルカメラ。
【請求項６】
前記白キズ検出手段は、電源投入時あるいは所定の使用条件のときに前記白キズ画素アドレスを前記ワークメモリに記憶させ、
前記黒キズ検出手段は、工場出荷時に前記黒キズ画素アドレスを前記ワークメモリに記憶させること
を特徴とする請求項５に記載のデジタルカメラ。
【請求項７】
固体撮像素子が色フィルタ配列を持つ場合、前記周辺遮光画素アドレスは、前記白キズ画素アドレスに対応する遮光画素データと同一色フィルタを持つ周辺の遮光画素データに対応するアドレスであり、前記周辺白画素アドレスは、前記黒キズ画素アドレスに対応する全面白画素データと同一色フィルタを持つ周辺の全面白画素データに対応するアドレスであることを特徴とする請求項５に記載の固体撮像素子のデジタルカメラ。
【手続補正３】
【補正対象書類名】明細書
【補正対象項目名】０００１
【補正方法】変更
【補正の内容】
【０００１】
【発明の属する技術分野】この発明は、固体撮像素子に起因する欠陥画素の補正を行うことのできるデジタルカメラに関する。
【手続補正４】
【補正対象書類名】明細書
【補正対象項目名】００１１
【補正方法】変更
【補正の内容】
【００１１】
また本発明では、固体撮像素子、該固体撮像素子から出力される画素データを格納するフレームメモリ、固体撮像素子による撮像動作を制御するマイクロコンピュータおよび該マイクロコンピュータの作業領域を提供するワークメモリを備えたデジタルカメラにおいて、マイクロコンピュータは、固体撮像素子を所定の時間遮光した状態の遮光画素データをフレームメモリから読み出して、該遮光画素データのうち所定の閾値より大きい値の遮光画素データに対応するアドレスを白キズ画素アドレスとしてワークメモリに記憶させる白キズ検出手段、および、ワークメモリに記憶された白キズ画素アドレスおよび該白キズ画素アドレスに対応する遮光画素データの周辺の遮光画素データに対応する周辺遮光画素アドレスのそれぞれに対応する所定の露出で撮影された通常画素データを、それぞれフレームメモリから読み出し、周辺遮光画素アドレスに対応する通常画素データに基づいて白キズ画素アドレスに対応する通常画素データを補完してフレームメモリに書き直す欠陥画素補正手段として機能することを特徴とする。
【手続補正５】
【補正対象書類名】明細書
【補正対象項目名】００１２
【補正方法】変更
【補正の内容】
【００１２】
また本発明では、固体撮像素子、該固体撮像素子から出力される画素データを格納するフレームメモリ、固体撮像素子による撮像動作を制御するマイクロコンピュータおよび該マイクロコンピュータの作業領域を提供するワークメモリを備えたデジタルカメラにおいて、マイクロコンピュータは、固体撮像素子を所定の時間開放した状態の全面白画素データを前記フレームメモリから読み出して、該全面白画素データのうち所定の閾値より小さい値の全面白画素データに対応するアドレスを黒キズ画素アドレスとしてワークメモリに記憶させる黒キズ検出手段、および、ワークメモリに記憶された黒キズ画素アドレスおよび該黒キズ画素アドレスに対応する全面白画素データの周辺の全面白画素データに対応する周辺白画素アドレスのそれぞれに対応する所定の露出で撮影された通常画素データを、それぞれフレームメモリから読み出し、周辺白画素アドレスに対応する通常画素データに基づいて黒キズ画素アドレスに対応する通常画素データを補完してフレームメモリに書き直す欠陥画素補正手段として機能することを特徴とする。